(57)【特許請求の範囲】
【請求項１】
略中央部に貫通孔を有する平板な頭部から、一面側に向かって平行に対向して伸び、その中央縦方向に縦長の貫通溝を設けた二枚の板状腕と、この二枚の板状腕によって二面が規制され、開放された方向にのみ回転動作ができるように、その両側面に突出した回転支持軸が板状腕の貫通溝に嵌合することによって自由支持され、その略中央部に貫通するめねじを有する角柱状のナット体とからなるナットを、弾性を有する包装体に複数個並べて取付けるナットの包装方法であって、
前記包装体の厚みを、ナット体を板状腕の突出方向にその長さ方向が沿う姿勢にしたナットの、頭部からナット体の先端までの寸法と同一かそれよりも厚くなるように設定し、前記包装体に前記ナットの板状腕とこれに取付けたナット体を差し込む溝を設け、この溝の幅を、前記ナットにおけるナット体の回転動作方向の厚さよりも狭く設定し、前記ナットの板状腕とこれに取付けたナット体を溝に差し込むとき、ナット体の回転動作方向面を、溝の幅方向に合わせることで強制的に圧入することを特徴とするナットの包装方法。
【請求項２】
略中央部に貫通孔を有する平板な頭部から、一面側に向かって平行に対向して伸び、その中央縦方向に縦長の貫通溝を設けた二枚の板状腕と、この二枚の板状腕によって二面が規制され、開放された方向にのみ回転動作ができるように、その両側面に突出した回転支持軸が板状腕の貫通溝に嵌合することによって自由支持され、その略中央部に貫通するめねじを有する角柱状のナット体とからなるナットを収納するための弾性を有する包装体であって、
前記包装体の厚みを、ナット体を板状腕の突出方向にその長さ方向が沿う姿勢にしたナットの、頭部からナット体の先端までの寸法と同一かそれよりも厚くなるように設定し、
この包装体に前記ナットの板状腕とこれに取付けたナット体を差し込む溝が設けられ、この溝の幅が、前記ナットにおけるナット体の回転動作方向の厚さよりも狭く、前記ナットの板状腕とこれに取付けたナット体を溝に差し込むとき、ナット体の回転動作方向面を、溝の幅方向に合わせることで強制的に圧入することができるように設定されていることを特徴とするナットの包装体。
【発明の詳細な説明】
【０００１】
【発明の属する技術分野】
この発明は、裏面に手の入らないような条件の部分に使用するナットの包装方法と包装体に関する。
【０００２】
【従来の技術】
図２と図３は、裏面に手の入らないような条件の部分に使用する中空用のナットの構造と、その使用の方法を示し、該ナット１は、略中央部に貫通孔２を有する平板な頭部３から、一面側に向かって平行に対向して伸び、その中央縦方向に縦長の貫通溝４を設けた二枚の板状腕５と、この二枚の板状腕５によって二面が規制され、開放された方向にのみ回転動作ができるように、その両側面に突出した回転支持軸６が板状腕５の貫通溝４に嵌合することによって自由支持され、その略中央部に貫通するめねじ７を有する角柱状のナット体８とからなり、該ナット体８が二枚の板状腕５の突出方向にその長さ方向が沿うように位置決めすると共に、この位置決め姿勢からナット体８の一方方向への回動を許容するため、二枚の板状腕５の先端に突部９と、ナット体８の側面に該突部９に当接する突起１０を設け、更にナット体８には、板状腕５の突出方向にさの長さ方向が沿う姿勢のとき頭部３に臨む側の端部に、頭部３の貫通孔２から挿入されたボルト１１での押し圧でナット体８に回転動を与える傾斜誘導面１２が設けられた構造になっている。
【０００３】
上記ナット１を用い、裏面に手の入らないような条件の部分に部材を取り付けるには、図３（Ａ）のように、取り付け部Ａにナット体８を挿通する下孔Ｂを穿設し、ナット体８を板状腕５の突出方向にさの長さ方向が沿う姿勢にしたナット１を下孔Ｂに臨ませ、ナット体８と板状腕５を下孔Ｂに挿入し、頭部３を取り付け部Ａの外面に当接させた後、取り付け部Ａの外面に位置させた部材Ｃを頭部３に重ね、部材Ｃの孔Ｄから頭部３の貫通孔２にボルト１１を差し込むと、ボルト１１の先端で傾斜誘導面１２を押すことにより、ナット体８は図３（Ａ）の実線で示す姿勢から９０°回転し、その長さ方向が板状腕５の突出方向に対して直交する姿勢となる。
【０００４】
この状態で、図３（Ｂ）のように、ボルト１１の先端がめねじ７と同軸心状の配置となり、該ボルト１１を工具Ｅでねじ込めば、ナット体８は板状腕５の貫通溝４に沿って頭部３側に移動し、図３（Ｃ）のように、ナット体８とボルト１１の頭部で取り付け部Ａと部材Ｃを締結し、取り付け部Ａに対して部材Ｃが固定化される。
【０００５】
ところで、上記のようなナット１の従来採用されている一般的な包装形態は、箱や袋の中に多数のナット１をランダムに投入して収納するようにしていた。
【０００６】
【発明が解決しようとする課題】
しかしながら、上記のようなナット１は、ナット体８の回転動作が自由であるため、箱や袋の中に多数のナット１をランダムに収納すると、ナット体８が回転して隣接するナット１と「絡み合う」状態が発生する危険性がある。
【０００７】
ナット１が互いに「絡み合う」状態になると、運搬時や取り出し時に力が加わり、二枚の板状腕５が変形破損して使用できなくなる。
【０００８】
また、上記のような「絡み合う」状態の発生を防ぐため、ナット１のナット体８と二枚の板状腕５を同方向にした姿勢で、両者をテープで巻くことにより、ナット体８の回転の自由性を規制することが考えられるが、テープの巻着付けに手間がかかるだけでなく、使用に際してテープを剥がさなければならず、時間がかかり、作業性が低下するという問題がある。
【０００９】
そこで、この発明の課題は、上記のような中空用のナットを、「絡み合う」ようなことなく整然と包装することができると共に、板状腕の変形破損の発生がなく、包装及び使用時の取り出しが簡単に行えるナットの包装方法と包装体を提供することにある。
【００１０】
【課題を解決するための手段】
上記のような課題を解決するため、請求項１の発明は、略中央部に貫通孔を有する平板な頭部から、一面側に向かって平行に対向して伸び、その中央縦方向に縦長の貫通溝を設けた二枚の板状腕と、この二枚の板状腕によって二面が規制され、開放された方向にのみ回転動作ができるように、その両側面に突出した回転支持軸が板状腕の貫通溝に嵌合することによって自由支持され、その略中央部に貫通するめねじを有する角柱状のナット体とからなるナットを、弾性を有する包装体に複数個並べて取付けるナットの包装方法であって、前記包装体の厚みを、ナット体を板状腕の突出方向にその長さ方向が沿う姿勢にしたナットの、頭部からナット体の先端までの寸法と同一かそれよりも厚くなるように設定し、前記包装体に前記ナットの板状腕とこれに取付けたナット体を差し込む溝を設け、この溝の幅を、前記ナットにおけるナット体の回転動作方向の厚さよりも狭く設定し、前記ナットの板状腕とこれに取付けたナット体を溝に差し込むとき、ナット体の回転動作方向面を、溝の幅方向に合わせることで強制的に圧入する構成を採用したものである。
【００１１】
請求項２の発明は、略中央部に貫通孔を有する平板な頭部から、一面側に向かって平行に対向して伸び、その中央縦方向に縦長の貫通溝を設けた二枚の板状腕と、この二枚の板状腕によって二面が規制され、開放された方向にのみ回転動作ができるように、その両側面に突出した回転支持軸が板状腕の貫通溝に嵌合することによって自由支持され、その略中央部に貫通するめねじを有する角柱状のナット体とからなるナットを収納するための弾性を有する包装体であって、前記包装体の厚みを、ナット体を板状腕の突出方向にその長さ方向が沿う姿勢にしたナットの、頭部からナット体の先端までの寸法と同一かそれよりも厚くなるように設定し、この包装体に前記ナットの板状腕とこれに取付けたナット体を差し込む溝が設けられ、この溝の幅が、前記ナットにおけるナット体の回転動作方向の厚さよりも狭く、前記ナットの板状腕とこれに取付けたナット体を溝に差し込むとき、ナット体の回転動作方向面を、溝の幅方向に合わせることで強制的に圧入することができるように設定されている構成を採用したものである。
【００１６】
【発明の実施の形態】
以下、この発明の実施の形態を図示例と共に説明する。
【００１７】
図１と図２は、この発明の包装体を用いたナットの包装形態を示し、ナット１は図２と図３で示した構造を有しているので、ここでは同一部分に同一符号を付して説明に代える。
【００１８】
包装体２１は、弾性を有する発泡体、例えば発泡スチロールを用いて所定大きさを有する矩形状の厚板状に形成され、この包装体２１に長さ方向に沿って複数のナット１が並列して納まる長さの長方形の溝２２が複数個並列した配置で設けられている。なお、包装体２１の厚みは、ナット体８を板状腕５の突出方向にその長さ方向が沿う姿勢にしたナット１の、頭部３からナット体８の先端までの寸法と同一かそれよりも厚くなっていると共に、溝２２の数と配列は自由に設定することができる。
【００１９】
上記溝２２は、その幅が、少なくともナット体８の回転動作方向の厚さよりも狭く、該ナット体８の回転動作方向面を強制的に圧入することができるように設定され、また、この溝２２は、包装体２１の裏面側に底を有する閉鎖されたものでも、包装体２１の表面から裏面にまで貫通するように設けてもよい。
【００２０】
この発明の包装体は上記のような構成であり、ナット１を包装するには、図２（Ａ）に示すように、ナット１のナット体８を板状腕５の突出方向にその長さ方向が沿う姿勢にした状態で、ナット１を溝２２の直上に、そのナット体８の回転動作方向面が溝２２の幅方向に沿うよう臨ませ、この状態でナット体８を溝２２の中に向けて押し込んでナット体８の回転動作方向面を強制的に圧入する。
【００２１】
包装体２１は弾性を有する発泡体で形成されているため、溝２２のナット体８が圧入された部分は圧縮を受けて変形し、図２（Ｂ）に示すように、頭部３が包装体２１の表面に当接するまで押し込むと、ナット体８は発泡体の復元弾性で弾力的に保持され、ナット１は包装体２１から脱落することなく保持される。
【００２２】
このようにして、包装体２１の各溝２２内に複数個のナット１を取り付ければ、図１に示すように、各溝２２上に頭部３が並ぶ包装姿になる。
【００２３】
ナット１は、その平板な頭部３が包装体２１の溝２２の幅よりも実質的に大きいため、包装体２１の上面に当接することによって、下方への圧入位置は規制され、脱落することもない。
【００２４】
また、ナット１の使用時には、該ナット１の平板な頭部３を指で掴み、溝２２内から引き抜くだけで即座に使用できる。
【００２５】
さらに、弾性を有する発泡体に設けられた溝２２を裏面まで貫通させた場合は、裏面からナット体８の下部を指等で押し上げることによって、平板な頭部３が包装体２１の上面から突出し、ナット１を簡単に溝２２内から引き抜くことができる。
【００２６】
【発明の効果】
以上のように、この発明によると、包装体にナット体を差し込む溝を設け、この溝の幅を、少なくともナット体の回転動作方向の厚さよりも狭く、そのナット体の回転動作方向面を強制的に圧入することができるように設定したので、溝内にナット体を差し込むだけで、中空用のナットを、絡み合うようなことなく整然と包装することができると共に、板状腕の変形破損の発生がなく、また、包装はナット体を包装体の溝内に圧入するだけでよく、使用時は溝からナット体を引き抜くだけでよいので、包装及び使用時の取り付け及び取り出し作業が簡単に行える。
【図面の簡単な説明】
【図１】ナットの包装形態を示す平面図
【図２】（Ａ）はナットの包装形態を示す分解斜視図、（Ｂ）は包装体の溝にナット体を差し込んだ部分の拡大断面図
【図３】（Ａ）乃至（Ｃ）の各々は、中空用のナットを用いた部材の固定を順番に示す工程図
【符号の説明】
１  ナット
２  貫通孔
３  頭部
４  貫通溝
５  板状腕
６  回転支持軸
７  めねじ
８  ナット体
２１  包装体
２２  溝
【図１】
0004400970.tif 000002
【図２】
0004400970.tif 000003
【図３】
0004400970.tif 000004